(57)【要約】【課題】オフィスを使用する複数の使用者の緑視率を所望の緑視率となるように植物を配置する植物配置支援システムを提供する。【解決手段】各種植物と前記各種植物の緑色部分の大きさ、形状及び面積の情報を数値化して記憶しているデータベースと、オフィス内の植物を配置する場所を入力する手段と、複数の使用者の位置を入力する手段と、所望の緑視率を入力する手段と、前記所望の緑視率と前記複数の使用者の平均緑視率とが一致するように前記データベースに記憶された各種植物を組み合わせて前記入力した配置場所に植物を配置する処理手段と、前記処理手段によって算出された配置場所に配置された植物を出力する手段と、を備える植物配置支援システム。【選択図】図４
2018147434.tif 000002
【特許請求の範囲】
【請求項１】
オフィスを使用する複数の使用者の平均緑視率が所望の緑視率になるように植物を配置する支援システムであって、該支援システムは、
各種植物と前記各種植物の緑色部分の大きさ、形状及び面積の情報を数値化して記憶しているデータベースと、
前記オフィス内の植物を配置する場所を入力する手段と、
前記複数の使用者の位置を入力する手段と、
所望の緑視率を入力する手段と、
前記所望の緑視率と前記複数の使用者の平均緑視率とが一致するように前記データベースに記憶された各種植物を組み合わせて前記入力した配置場所に植物を配置する処理手段と、
前記処理手段によって算出された配置場所に配置された植物を出力する手段と、
を備える植物配置支援システム。
【請求項２】
前記データベースに記憶された各種植物に含まれる任意の1種以上の植物を入力する手段を備える植物配置支援システムであって、
前記組み合わせて配置する植物には前記入力した任意の1種以上の植物を各種1つ以上含むことを特徴とする請求項1記載の植物配置支援システム。
【請求項３】
前記入力した任意の1種以上の植物を配置する場所を入力する手段を備える植物配置支援システムであって、
前記入力した配置場所に前記入力した任意の1種以上の植物を配置することを特徴とする請求項２記載の植物配置支援システム。
【請求項４】
任意の匂いを入力する手段を備える植物配置支援システムであって、
前記データベースは前記各種植物の匂いの情報を記憶したデータベースであり、
前記組み合わせて配置する植物に前記入力した匂いの植物を１つ以上含むことを特徴とする請求項1乃至3いずれか記載の植物配置支援システム。
【請求項５】
請求項1乃至4いずれか記載の植物配置支援システムによってオフィスにおける植物の配置を提案する方法。
【請求項６】
請求項1乃至4いずれか記載の植物配置支援システムによってオフィスに配置するために選択された一群の植物を販売及び／又はレンタルする方法。
【発明の詳細な説明】
【技術分野】
【０００１】
本発明は、オフィスを使用する複数の使用者の平均緑視率が所望の緑視率になるように植物を配置する植物配置支援システムに関する。
緑視率とは、人の視野に占める植物の緑色部分の割合であり、平均緑視率とは、複数の使用者の緑視率の平均値を言う。
【背景技術】
【０００２】
現代はストレス社会であり、ストレスによりうつ等のメンタルヘルス不調を訴える人が年々増加している。
【０００３】
これを受けて、厚生労働省は、2015年12月から企業に対して年に一度従業員全員に対してストレスチェックを行うことを義務化し、ストレスチェックの分析結果は本人へ通知することで、本人にストレスの度合いを認識させ、必要であれば治療を促すと共に、ストレス度の高い職場に対しては職場環境を改善し、従業者のストレスを軽減させることを求めている。
【０００４】
従業者のストレスを軽減させる職場環境の改善方法として、観葉植物等の植物のオフィスへの導入が注目されており、植物が人間に与える影響についての研究が盛んに行われている。
【０００５】
本件出願人は産学連携の共同研究により、オフィスの温度、光、音、空間、空気等が一定の環境下で、植物の配置場所や種類を変化させて、心拍数、脈拍数、指先脈波、唾液アミラーゼ活性値、フリッカー値等の生理測定と、アンケート調査による心理測定を行い、これらの測定値をストレス値として変化を観察することで植物が従業者の生理・心理反応に及ぼす影響について検討した結果、緑視率や、配置する植物の種類によってストレス値が軽減したり、増大したりすることを確認できた。
【０００６】
したがって、オフィスを使用する複数の使用者の平均緑視率が、使用者のストレス軽減が期待できるそのオフィス固有の最適な緑視率になるよう、植物を選択し、所定場所に配置すれば、複数の使用者のストレスが一斉に軽減することが期待できる。
【０００７】
しかしながら、オフィスの大きさや形状はそれぞれ大きく異なり、また、植物を配置できる場所も様々であるので、各オフィスによって複数の使用者の平均緑視率が、そのオフィス固有の最適な緑視率となるように植物を配置することは困難である。
【０００８】
そこで、オフィスを使用する複数の使用者の平均緑視率がそのオフィス固有の最適な緑視率となるように簡便な方法で植物を選択して配置する場所を定められるシステムの構築が望まれている。
【先行技術文献】
【特許文献】
【０００９】
【特許文献１】特開２０１０−１７２３０５
【特許文献２】特開昭６３−２７９３７０
【発明の概要】
【発明が解決しようとする課題】
【００１０】
特許文献1には居住環境に観葉植物等を配置することを支援するシステムであって、仮想的に植物を配置した場合に居住者にどのような効果があるのかを可視化して示すシステムが開示されている。
【００１１】
しかしながら、特許文献1記載の支援システムでは、固定された位置に居る居住者1人が得られる効果を示しながら植物を配置する支援システムだから、当該支援システムを利用して植物を配置したとしても、異なる位置に居る複数の居住者に同様の効果を期待することはできないといった問題がある。
【００１２】
特許文献2には、現状オフィスに対する使用者の実態を調査して、その結果をマップにすることで視認化して問題を明確にし、該問題を解決し得る新しいオフィスを提案するオフィスプランニング方法が開示されている。
【００１３】
しかしながら、特許文献2のオフィスプランニング方法は、異なる位置に居る複数のオフィス使用者全員に同様の効果を期待することはできないといった問題がある。
【００１４】
本発明は前記諸問題を解決することを技術的課題とし、数多くの研究を重ねた結果、各種植物と前記各種植物の緑色部分の大きさ、形状及び面積の情報を数値化して記憶しているデータベースと、前記オフィス内の植物を配置する場所を入力する手段と、前記複数の使用者の位置を入力する手段と、所望の緑視率を入力する手段と、前記所望の緑視率と前記複数の使用者の平均緑視率とが一致するように前記データベースに記憶された各種植物を組み合わせて前記入力した配置場所に植物を配置する処理手段と、前記処理手段によって算出された配置場所に配置された植物を出力する手段とを備える植物配置支援システムであれば、そのオフィスを使用する複数の使用者の平均緑視率を所望の緑視率にすることができるから、例えば、平均緑視率を、ストレスの軽減が期待される最適な緑視率にすれば、そのオフィスを使用する使用者全員のストレスが一斉に軽減することが期待できると言う刮目すべき知見を得て、前記技術的課題を達成したものである。
【課題を解決するための手段】
【００１５】
前記技術的課題は、次のとおりの本発明によって解決できる。
【００１６】
本発明は、オフィスを使用する複数の使用者の平均緑視率が所望の緑視率になるように植物を配置する支援システムであって、該支援システムは、各種植物と前記各種植物の緑色部分の大きさ、形状及び面積の情報を数値化して記憶しているデータベースと、前記オフィス内の植物を配置する場所を入力する手段と、前記複数の使用者の位置を入力する手段と、所望の緑視率を入力する手段と、前記所望の緑視率と前記複数の使用者の平均緑視率とが一致するように前記データベースに記憶された各種植物を組み合わせて前記入力した配置場所に植物を配置する処理手段と、前記処理手段によって算出された配置場所に配置された植物を出力する手段とを備える植物配置支援システムである。
【００１７】
また、本発明は、前記データベースに記憶された各種植物に含まれる任意の1種以上の植物を入力する手段を備える植物配置支援システムであって、前記組み合わせて配置する植物には前記入力した任意の1種以上の植物を各種1つ以上含むことを特徴とする植物配置支援システムである。
【００１８】
また、本発明は、前記入力した任意の1種以上の植物を配置する場所を入力する手段を備える植物配置支援システムであって、前記入力した配置場所に前記入力した任意の1種以上の植物を配置することを特徴とする植物配置支援システムである。
【００１９】
また、本発明は、任意の匂いを入力する手段を備える植物配置支援システムであって、前記データベースは前記各種植物の匂いの情報を記憶したデータベースであり、前記組み合わせて配置する植物に前記入力した匂いの植物を１つ以上含むことを特徴とする植物配置支援システムである。
【００２０】
また、本発明は、前記植物配置支援システムによってオフィスにおける植物の配置を提案する方法である。
【００２１】
また、本発明は、前記植物配置支援システムによってオフィスに配置するために選択された一群の植物を販売及び／又はレンタルする方法である。
【発明の効果】
【００２２】
本発明によれば、所望の緑視率を入力すれば、オフィスを使用する複数の使用者の平均緑視率が、入力した緑視率になるようデータベースから植物を選択し、組み合わせて配置した後、出力するから、出力された通りに植物を配置することで、複数の使用者の平均緑視率を所望の緑視率にすることができる。
【００２３】
複数の使用者の平均緑視率を所望の緑視率にすることができるから、例えば、所望の緑視率を、そのオフィス使用者のストレスの軽減が期待できる緑視率にすれば、オフィスを使用する複数の使用者のストレスが一斉に軽減することも期待できる。
【００２４】
また、本発明によれば、オフィス内における植物を配置する場所や、使用者の位置を入力する手段を備えるから、様々な大きさや形状のオフィスであっても複数の使用者の平均緑視率を所望の緑視率にすることができる。
【００２５】
また、本発明に係る任意の植物を入力する手段を備える支援システムであれば、配置する植物に好みの植物を含むようにできるから、さらなるストレスの軽減も期待できる。
【００２６】
また、本発明に係る前記入力した植物を配置する場所を入力する手段を備える支援システムであれば、複数の使用者の平均緑視率を所望の緑視率にすると共に、個々の使用者の好みに合わせた配置にすることもできる。
【００２７】
また、本発明に係る匂いを入力する手段を備える支援システムであれば、配置する植物に好みの匂いの植物を含むようにできるから、匂いによる効果も期待することができる。
【００２８】
また、本発明に係る支援システムを利用して、それぞれのオフィスに最適な緑視率となるような植物の配置を提案することができる。
【００２９】
また、該支援システムが選択して配置した植物を一群の植物として販売及び／又はレンタルすれば、オフィス使用者側は各植物を個々に手配する必要がなくなる。
【図面の簡単な説明】
【００３０】
【図１】実施の形態1の基準レイアウト図である。
【図２】実施の形態１の使用者の視野に入る配置場所までの相対距離を表した模式図である。
【図３】実施の形態1の各配置場所の濃度を示した濃度マップの一例である。
【図４】実施の形態1の植物の配置図の一例である。
【図５】実施の形態1の比較例の植物の配置図である(比較例1)。
【図６】実施の形態2の基準レイアウト図である。
【図７】実施の形態2の使用者の視野に入る配置場所までの相対距離を表した模式図である。
【図８】実施の形態2の各配置場所の濃度を示した濃度マップの一例である。
【図９】実施の形態2の植物の配置図の一例である。
【図１０】実施の形態2の比較例の植物の配置図である(比較例2)。
【図１１】植物の占める面積αの一例である。
【図１２】植物の緑色部分のみの画像の一例である。
【図１３】実施の形態の緑視率の計算方法を表した模式図である。
【図１４】実施の形態の緑視率の計算方法を表した模式図である。
【図１５】実施の形態の緑視率の計算方法を表した模式図である。
【発明を実施するための形態】
【００３１】
＜データベース＞
各種植物1,000〜10,000枚の写真データの植物一株における緑色部分が占める幅、高さの最大値、最小値及び平均値と、植物一株の最大高・最大幅に占める緑色部の面積比（単体緑視率）の最大値、最小値及び平均値のデータベースを作成する。
【００３２】
単体緑視率は、写真データを画像処理することにより、容器を除く幹と葉の部分の最大高・最大幅を計算し、植物の占める面積αを算出した後（図11）、画像処理により植物の緑色部分のみの画像を取得し（図12）、その面積βを算出し、β ÷ αの値とすればよい。
データベースの例を表1に示す。
【表１】
2018147434.tif 000003
【００３３】
データベースには、植物の分類学上の分類、形状の項目を設けて、分類学上の分類、形状の系統によって分類できるようにしても良い。
【００３４】
＜入力＞
CADやMicrosoft Visio（登録商標）等によって使用者の向き、机等の什器の位置や寸法を入力したレイアウト図を作成し、該オフィスのレイアウト上の植物を配置可能な場所を配置場所として、マウスのドラッグアンドドロップ操作等を行うことで指定し、指定した場所をピクセル単位の座標系で保持する。
【００３５】
なお、デフォルトとして、机上の左右60〜70ｃｍを配置場所とするようにしても良い。
【００３６】
オフィスを利用する使用者の人数及び位置も同様に指定し、指定した場所をピクセル単位の座標系で保持する。
【００３７】
使用者の視野は、ヒトが両目で同時に見える範囲は約120°であるから、床から110〜120cm上から左右に各60°を各使用者の視野として予め設定しておいても良いし、その都度入力しても良い。
【００３８】
緑視率としては所望の緑視率を入力すれば良い。
例えば、20％以下の数値であるとストレスの軽減を期待することができる。
なお、本明細書においては、入力する緑視率を「目標緑視率」と言うことがある。
【００３９】
（処理）
＜基準緑視率＞
データベースに入力した単体緑視率から、その植物の基準となる緑視率（基準緑視率）を決定する。
基準緑視率は単体緑視率の平均値であっても良い。
【００４０】
＜基準透過率＞
植物の占める面積の内、緑色部分でない部分の割合を求め、基準透過率とする。
基準透過率は1−基準緑視率で求めることができる。
【００４１】
各使用者の位置から、入力した視野に入る植物の配置場所との距離(cm)を算出した後、定数(cm)で割って相対距離を算出する。
【００４２】
定数は特に限定されないが、一般のオフィスの場合であれば60〜70cmの値であることが好ましい。
【００４３】
次に、各配置場所に植物を配置した場合の平均緑視率に与える影響の大小を表す「濃度」を算出し、濃度マップを作成する。
【００４４】
濃度マップとは、ある座標に割り当てられた値の大きさを色の種類や濃度として視覚的に表現する方法である。
【００４５】
以下に挙げるのは、濃度の算出方法の一例である。
【００４６】
配置場所kに植物iを配置したときの使用者jに対する植物配置後の緑視率Gijを以下の数１で定義する。
【数１】
2018147434.tif 000004
【００４７】
数１により、各配置場所における濃度を表した濃度マップを作成する。
【００４８】
濃度マップを作製した後、数2に示す最適化問題を定義し、平均緑視率が、目標緑視率となる最適な植物の配置を計算する。
最適化計算は、数１で求めた濃度マップを初期値として、焼きなまし法により行うことができる。
【数２】
2018147434.tif 000005
【００４９】
出力の手段は限定されないが、例えば、レイアウト図の配置場所に各植物の名称を表示するようにしても良い。
【００５０】
支援システムが選択して配置した一群の植物に任意の植物が含まれるようにするには、一度配置した後に入力した任意の植物が含まれていない場合に限り、配置された植物の中で、入力した任意の植物と基準緑視率が同等の植物を選択して、選択された植物を前記任意の植物に置換えるよう再計算するようにすればよい。
【００５１】
また、任意の植物を配置する場所を固定するには植物のエネルギーを極小状態として設定し最適化計算をすればよい。
【００５２】
また、支援システムが選択して配置した一群の植物に好みの匂いの植物を含むようにするには、匂いの系統が同一又は類似する植物群でデータベースを作成し、入力した匂いの系統の植物群から選択して配置するようにすればよい。
【００５３】
本発明によれば、目標緑視率と実際の平均緑視率との誤差は0〜10％にすることができる。
【００５４】
図を参照しながら、本発明に係る支援システムを説明する。
【００５５】
（実施の形態１）
図1の基準レイアウト図のようなオフィスにおいて、複数の使用者の平均緑視率が15％になるように植物を配置する方法について説明する。
【００５６】
まず、使用者（10）の人数、向き、各什器、窓の位置及び各寸法（22）及び植物の配置場所（20）が入力されたレイアウト図を作成する（図1）。
【００５７】
図1の基準レイアウト図の場合、配置場所（20）は1〜6壁際、7〜9卓上及び10〜13壁際の13ヶ所であり、使用者（10）は人1〜人6の6人である。
【００５８】
使用者（10）、人1の視野に入る配置場所（20）（位置7，8、10、11、12、13）までの距離を60cmで割った各相対距離(25)を算出して記憶する（図2）。
【００５９】
同様に、人2〜6の各使用者（10）の視野に入る配置場所との相対距離を算出して記憶する。
【００６０】
記憶した各使用者の相対距離と予め記憶させてある基準緑視率及び基準透過率から、数3により、配置場所(20)、1〜13ヶ所の各濃度(26)を計算し、濃度マップを作成する(図3)。なお、基準緑視率は単体緑視率の平均値とした。
【数３】
2018147434.tif 000006
【００６１】
作成した濃度マップから、数4に示す最適化問題を定義し、平均緑視率が、目標緑視率となる最適な植物の配置を算出する。
最適化計算は、濃度マップを初期値として、焼きなまし法により行った。
【数４】
2018147434.tif 000007
【００６２】
図4は最適化計算によって配置された植物の配置図である。
また、図5は比較例として、ランダムに植物を配置した配置図である(比較例1)。
【００６３】
図4及び図5に示す配置図で、人1〜人6の6人の使用者（10）の各緑視率及び平均緑視率を以下の方法により計算した。
【００６４】
図13のような人の目を中心とした半径1m、中心角60°の円錐があると仮定し、その錐面をスクリーン(30)と設定する。
【００６５】
配置した植物の人から見た場合の見掛けの大きさAを計算し、配置した植物の緑色部分のみの画像（31）を植物データベースから取得し、Aの大きさに合わせてスクリーン（30）に張り付ける（図14）。
【００６６】
スクリーンに張り付けた各画像（31）の緑色部分の面積(Cn) の合計Cを計算する(図15)。
スクリーン自体の面積は球冠の面積の公式からπm2（D)と計算される。
C÷Dにより緑視率を計算した。
【００６７】
結果を表2に示す。
【００６８】
【表２】
2018147434.tif 000008
【００６９】
（実施の形態2）
実施の形態2は図6に示す基準レイアウト図によって、人1〜人8の8人の使用者の平均緑視率が18％になるように植物を配置する方法である。
【００７０】
実施の方法１と同じ方法で配置した植物の配置図を図9に示す。
【００７１】
また、図6の基準レイアウト図の配置場所（20）にランダムに植物を配置した図を図１０に示す（比較例２）。
【００７２】
図9及び図10に示す配置図で、人1〜人8の8人の使用者（10）の各緑視率及び平均緑視率を実施の形態１と同一の方法で計算した結果を表3に示す。
【００７３】
【表３】
2018147434.tif 000009
【００７４】
表2及び表3より、本発明の支援システムにより植物を配置すれば、平均緑視率を所望の緑視率にすることができるが、ランダムに植物を配置してもオフィスを使用する複数の使用者の平均緑視率を所望の緑視率に近づけることはできないことが分かる。
また、本発明に係る植物配置支援システムは、様々なオフィスの大きさ、形状であっても、平均緑視率を所望の緑視率にできることが分かる。
【産業上の利用可能性】
【００７５】
本発明によれば、オフィスを使用する複数の使用者の平均緑視率を所望の緑視率になるように植物を配置できるから、例えば、ストレスの軽減が期待される最適な緑視率になるように植物を配置すれば、そのオフィスを使用する使用者全員のストレスが一斉に軽減することが期待できる。
よって、本発明は産業上の利用可能性が高い発明と言える。
【符号の説明】
【００７６】
１０          使用者
２０          配置場所
２２          各什器等の寸法
２５          相対距離
２６          濃度
３０          スクリーン
３１          画像
３５          視野
A             見かけの大きさ
Cn            各画像の面積
【図１】
2018147434.tif 000010
【図２】
2018147434.tif 000011
【図３】
2018147434.tif 000012
【図４】
2018147434.tif 000013
【図５】
2018147434.tif 000014
【図６】
2018147434.tif 000015
【図７】
2018147434.tif 000016
【図８】
2018147434.tif 000017
【図９】
2018147434.tif 000018
【図１０】
2018147434.tif 000019
【図１１】
2018147434.tif 000020
【図１２】
2018147434.tif 000021
【図１３】
2018147434.tif 000022
【図１４】
2018147434.tif 000023
【図１５】
2018147434.tif 000024